(57)【要約】      （修正有）【課題】健康増進の効果を発揮しつつ、衛生面にも優れた健康増進具を提供する。【解決手段】健康増進具である入浴装置１は、無機ゲルマニウムを含有する薄膜で覆われた固形物又は無機ゲルマニウムを含有する固形物を含む浴剤を収容する浴剤収容部である浴槽１１，１２と、浴槽１１，１２に収容されている浴剤に向けて波長３００ｎｍ〜２μｍの光を放射する発光部１３と、を備える。また、浴剤収容部の代わりに、無機ゲルマニウム粒子が表面に固着された接触部又は無機ゲルマニウムを含有する接触部を備える構成とする場合には、シャワーに設けられたシャワーローラやブラシに設けられたブラシ毛を当該接触部として備える健康増進具とする。【選択図】図１
2007075211.tif 000002
【特許請求の範囲】
【請求項１】
無機ゲルマニウムを含有する薄膜で覆われた固形物又は無機ゲルマニウムを含有する固形物を含む浴剤を収容する浴剤収容部と、
前記浴剤収容部に収容されている前記浴剤に向けて波長３００ｎｍ〜２μｍの光を放射する発光部と、
を備える健康増進具。
【請求項２】
前記浴剤収容部は浴槽として構成され、
前記発光部が、前記浴槽の液面よりも低い位置に設けられている請求項１に記載の健康増進具。
【請求項３】
無機ゲルマニウム粒子が表面に固着された又は無機ゲルマニウムを含有する接触部と、
前記接触部に対して波長３００ｎｍ〜２μｍの光を放射する発光部と、
を備える健康増進具。
【請求項４】
前記接触部はシャワーヘッドに取付けられるシャワーローラとして構成されると共に、前記発光部を前記シャワーヘッドに設けることで、シャワーとして構成された請求項３に記載の健康増進具。
【請求項５】
前記接触部はブラシ毛として構成されると共に、前記発光部を柄部又は前記ブラシ毛が取付けられる取付台に設けることで、ブラシとして構成された請求項３に記載の健康増進具。
【発明の詳細な説明】
【技術分野】
【０００１】
本発明は健康増進具に関するものであり、特に、無機ゲルマニウムを用いた健康増進具に関する。
【背景技術】
【０００２】
近年の健康増進に対する関心の高まりから、様々な物性を利用した健康増進具が検討されている。そのような健康増進具としては、例えば、ゲルマニウムや近赤外線が人体に与える効果を利用したものが知られている。
【０００３】
ゲルマニウムを健康増進具に適用する態様には、有機ゲルマニウム粉末を含有するクリーム、セラミックス等の成型体表面に有機ゲルマニウムの薄膜を形成したプラスター（いずれも特許文献１参照）、有機ゲルマニウム溶液を入れた浴槽（特許文献２参照）などがあり、ゲルマニウムが発する遠赤外線が、人体の消炎、鎮痛等の健康増進、治療に対して効果があることが知られている。一方、近赤外線を健康増進具に利用する態様には、近赤外線発光ダイオードを光源とする温熱治療器があり（特許文献３参照）、近赤外線を人体に放射することで患部に温熱効果を与え、肩こりや腰痛などの緩解に対して効果があることが知られている。
【０００４】
また、健康増進とあわせて、近年は衛生に関する関心も高まっており、風呂の配管や浴槽の蓋に紫外線発光ダイオードを設けて、人体の皮膚表面と接触する湯中の雑菌の繁殖や浴槽のぬめり・カビを発光ダイオードからの紫外線の照射によって防止することが知られている（特許文献４参照）。
【特許文献１】特許２５７２５２０号公報
【特許文献２】特開昭６０−３６０５４号公報
【特許文献３】特開平１１−１９２３１５号公報
【特許文献４】特開２００１−９５６９９号公報
【発明の開示】
【発明が解決しようとする課題】
【０００５】
しかしながら、従来の健康増進具は健康増進もしくは衛生のいずれか一方にのみ着目した構成とされているため、個々の構成に基づく効果しか得ることができなかった。また、例えば浴槽のような健康増進具の場合、浴剤や浴槽は複数人が同一のものを使用するため、衛生面に対する使用者の信頼感が十分に得られないことがあった。
【０００６】
そこで、本発明は、健康増進の効果を発揮しつつ、衛生面にも優れた健康増進具を提供することを目的とする。
【課題を解決するための手段】
【０００７】
本発明の健康増進具は、無機ゲルマニウムを人体の皮膚表面と接触させるために、無機ゲルマニウムを含有する薄膜で覆われた固形物又は無機ゲルマニウムを含有する固形物を含む浴剤を収容する浴剤収容部、浴剤収容部に収容されている浴剤に向けて波長３００ｎｍ〜２μｍの光を放射する発光部と、を備える。
【０００８】
本発明の健康増進具によれば、発光部から放出された光が固形物を覆うゲルマニウムのバンドギャップあるいは価電子帯の電子（正孔）を励起することで、固形物から遠赤外線が放出される。ここで、固形物は皮膚と接触するため、放出された遠赤外線は浴剤中で減衰することなく、人体に対して有効に作用する。また、放射された光のうち近赤外線（０．８〜２μｍ）は、傷や神経障害の治療、肩こりや腰痛などの緩解などに対して効果を発揮し、放射された光のうち紫外線は水中で吸収されるときに殺菌の効果を発揮することで水を浄化する。このように、人体の皮膚表面と接触する浴剤に紫外域から赤外域にわたる光が放射されることで、健康増進の効果を発揮しつつ、衛生面にも優れた健康増進具を得ることができる。
【０００９】
同様の健康増進及び衛生面における効果は、浴剤収容部の代わりに、無機ゲルマニウムを人体の皮膚表面と接触させるために、無機ゲルマニウム粒子が表面に固着された接触部又は無機ゲルマニウムを含有する接触部を設けて、当該接触部に対して波長３００ｎｍ〜２μｍの光を放射することによっても得ることができる。なお、接触部の形態は、例えば、シャワーヘッドのシャワーローラやブラシのブラシ毛とすることができる。
【００１０】
また、上記の浴剤収容部を浴槽として構成した場合には、浴剤に含有されている固形物が浴槽の底に沈殿するあるいは水中を浮遊することで、常に人体の皮膚表面に触れることとなるため、健康増進の効果が高まる。さらに、発光部を浴槽の液面よりも低い位置（すなわち、発光部が浴剤に浸かる位置）に設けることで、殺菌の効果が高まる。
【発明の効果】
【００１１】
本発明の健康増進具によれば、無機ゲルマニウムが薄膜もしくは粒子の状態で存在する要素（固形物もしくは接触部）に対して赤外線から紫外線域の波長を有する光が放射されると共に、その要素が人体の皮膚表面と接触する。したがって、当該要素から放出される遠赤外線及び光に含まれる近赤外線が健康増進の効果を発揮しつつ、光に含まれる紫外線の殺菌作用により衛生面を向上させた健康増進具が得られる。
【発明を実施するための最良の形態】
【００１２】
本発明の実施の形態に係る健康増進具は、人体の皮膚表面と接触させるために無機ゲルマニウム薄膜で覆われた固形物を含有する浴剤を収容する浴剤収容部と、浴剤収容部に収容されている浴剤に向けて波長３００ｎｍ〜２μｍの光を放射する発光部と、を備えるものである。また、この健康増進具において、浴剤収容部は、人体の皮膚表面と接触させるために無機ゲルマニウム粒子が表面に固着された接触部として構成しても良い。以下、図面を参照しつつ本発明の実施の形態を説明する。
【００１３】
本発明の第１実施形態に係る入浴装置の構成を図１及び図２を用いて説明する。図１は入浴装置の斜視図であり、図２は入浴装置の使用状態を示す側面図である。
【００１４】
図１に示される入浴装置１は温浴器とも呼ばれるものであり、図２に示されるように使用者１００が手足を浴剤に浸けるための装置である。入浴装置１は、後述する浴剤を収容する浴剤収容部である上部浴槽１１及び下部浴槽１２を備えており、これらの上部浴槽１１及び下部浴槽１２の内面側には、発光部１３が２つずつ取付けられている（図１及び図２では、発光部１３のうち１つは図示されていない）。上部浴槽１１及び下部浴槽１２はフレーム１４に取付けられており、上部浴槽１１は使用者１００が手を浸けることができる位置に固定され、下部浴槽１２は使用者１００が足を浸けることができる位置に固定されている。フレーム１４の下部には、複数の車輪１５が取付けられており、使用者等が入浴装置１を簡単に移動できるようにされている。また、フレーム１４には、使用者１００に対して上部浴槽１１よりも前方側に、上部浴槽１１及び下部浴槽１２に収容された浴剤の温度制御や発光部１３の制御を行なうための制御部１６が設けられている。
【００１５】
図２に示されるように、使用者１００は椅子１１０に座り、体の一部を浴剤収容部（上部浴槽１１，下部浴槽１２）に入れられた浴剤に浸けることで入浴装置１を使用する。図２では、上部浴槽１１は手先から肘付近までの腕が入る程度の容積とし、下部浴槽１２は足先から脛が入る程度の容積とした場合を示しているが、これに限定されない。具体的には、浴剤収容部を上部浴槽１１と下部浴槽１２の２つに分けずに、１つの浴槽として体全体が浸かることができる容積としても良い。また、上部浴槽と下部浴槽の２つに分ける場合には、手のみ及び足のみを浴剤に浸けることができるように小さめの容積としても良い。浴剤収容部の材料としては、ステンレス、アルミニウム等の金属、ＦＲＰ、有機樹脂を用いることができる。また、ゲルマニウムを上記の材料に混入して焼結あるいは溶融させた材料であるゲルマニウム含有材料を用いても良い。さらに、ゲルマニウムを混在させた有機透明膜もしくは無機透明膜で上記の材料の表面を覆った材料、ゲルマニウムを表面に析出させたコート材で上記の材料の表面を覆った材料、または、ゲルマニウム微粒子が混合されたあるいは未溶融として残存する５０μｍ以下の膜厚のコート材で上記の材料の表面を覆った材料であるゲルマニウム含有膜被覆材料を用いても良い。
【００１６】
発光部１３は、波長３００ｎｍ〜２μｍの赤外線から紫外線域の光を放射する１個以上の発光ダイオード（ＬＥＤ）１３Ｌから構成される光照射灯であり、棒状あるいは平面状に複数の発光ダイオードを並べたものを用いることができる。上部浴槽１１及び下部浴槽１２に入れられた浴剤に向けて照射することができる位置であれば、発光部１３の取付位置は水中でも水面外でも良いが、紫外線領域の光を浴剤に吸収させるためには浴槽の液面よりも低い位置である浴剤に浸かる位置に発光部１３を設ければ良い。また、発光部１３の電源（図示せず）には、適宜防水機構を施した上で、一般的な１００Ｖの交流電源や、２４Ｖの低圧とした交流電源を用いることができる。また、浴槽の設置条件等を考慮して、電源として蓄電池又は直流（ＤＣ）電源を用いても良い。なお、発光部１３の光放出部において、３００ｎｍ〜４００ｎｍの紫外線領域を透過させる部分には透明石英ガラスを用いることができる。一方、当該光放出部において、それ以外の波長領域を透過させる部分には透明石英ガラスあるいは透明有機樹脂を用いることができる。
【００１７】
制御部１６は、電源や浴剤の温度制御に関する操作を行う操作部１６Ａと浴剤の温度等を表示する表示部１６Ｂとを備えており、上部浴槽１１及び下部浴槽１２に収容された浴剤の温度が０℃〜６０℃の範囲となるように浴剤を加熱もしくは冷却する。このような温度範囲とすることで、手足を入れた時に心地よい温度とすることができる。通常は室温以上に浴剤の温度を保つことで、体の血流を活発にさせ、ゲルマニウムからの遠赤外線放出を増長させることが好ましいが、夏季においては心理的効果を期待し、室温以下で使用しても良い。さらに、０℃〜６０℃の範囲内で浴剤の温度を上昇及び下降させるように用いても良い。また、制御部１６は、浴剤の温度制御に加えて、発光部１３のオン・オフ等の制御を行なうことができるように構成されている。
【００１８】
浴剤収容部である上部浴槽１１及び下部浴槽１２に入れる浴剤としては、無機ゲルマニウムを人体の皮膚表面と接触させるために、無機ゲルマニウムを含有する薄膜で覆われた固形物又は無機ゲルマニウムを含有する固形物を水に入れた浴剤を用いる。無機ゲルマニウムを含有する薄膜で固形物を覆う場合には、薄膜は有機膜でも無機膜でも良く、具体的には、有機透明膜もしくは無機透明膜を用いることができる。また、薄膜の膜厚は０．０１μｍ以上１００μｍ以下とすることが好ましい。さらに、薄膜に含有させるゲルマニウム粒子の平均粒径は０．１μｍ以上５０μｍ以下とすることが好ましい。なお、薄膜に含まれるゲルマニウムとしては、製造過程の焼結工程あるいは溶融工程の後に未溶融となったものを用いても良い。一方、無機ゲルマニウムを含有する固形物としては、ゲルマニウムが表面に析出したものを用いることができる。
【００１９】
このような固形物は粒子状で用いることが好ましく、具体的には、平均粒径が１ｍｍ以上５０ｍｍ以下、体積が１０−２ｃｃ以上１３０ｃｃ以下もしくは比重が０．１以上１０以下の条件のうち、少なくとも１つの条件を満たす粒子を用いることが好ましい。さらに、表面に凹凸や突起を有する固形物を用いることがより好ましい。このように、凹凸や突起を表面に有する固形物を用いることで、表面もしくはその近傍に存在するゲルマニウムを増やすことが可能となり、発光部が放射する光を受けてゲルマニウムが発する遠赤外線の量も増加する。これにより健康増進の効果を増加させることができるだけでなく、凹凸や突起そのものが人体の皮膚表面と接触することで、適度の刺激を与えて血流を盛んにさせることができる。このような凸凹や突起を表面に有する固形物としては、セラミックス、ガラス、多孔質材を用いることができる。その他、固形物として、ステンレスやチタン、表面に突起を形成したスポンジもしくは布を用いても良い。
【００２０】
なお、浴剤には、上記の固形物を水に入れた浴剤だけでなく、発汗作用を向上させるために有機ゲルマニウムを更に含有させたり、いわゆる温泉効果を得るために天然温泉の成分を含有する水を更に含有させても良い。
【００２１】
次に、本発明の第２実施形態に係るシャワーの構成を図３から図６を用いて説明する。図３はシャワーヘッドを中心としたシャワーの構成を示す概念図である。また、図４はシャワーローラとその周辺を示すシャワーヘッドの正面図であり、図５はシャワーヘッドの使用状態を示す拡大断面模式図である。また、図６はシャワーヘッドの照射部を示す拡大断面図である。
【００２２】
図３に示されるシャワー２は、給水部２１と、シャワーヘッド２２とから構成されている。給水部２１は、水（好ましくは温水）をシャワーヘッド２２へ供給する装置であり、ポンプなどの一般的な給水機構を備えたものを用いることができる。シャワーヘッド２２は、複数の吐出孔２３と、カートリッジ部２４と、照射部２８と、制御部２９とを備えている。
【００２３】
吐出孔２３は、給水部２１からシャワーヘッド２２へ供給された水を対象物（使用者）に向けて吐出することができるように構成されている。カートリッジ部２４は、シャワーヘッド２２に対して脱着可能に構成されており、シャワーローラ２５（接触部）と、発光部２６と、電源・制御部２７を備えている。シャワーローラ２５は、使用者の体に当てて回転させることができる接触部として構成されており、その表面には、人体の皮膚表面と接触させるために無機ゲルマニウム粒子が表面に固着されている。また、第１実施形態における固形物と同様に、シャワーローラ２５には無機ゲルマニウムを含有する材料を用いても良い。なお、図３から図５では、シャワーローラ２５を１つだけ設けた場合を示しているが、シャワーヘッドやシャワーローラの形状、大きさ等に応じて複数設けても良い。また、シャワーローラの表面には、凹凸や突起を設けても良い。発光部２６は複数の光源から構成され、シャワーローラ２５の周囲において吐出孔２３の外面と同じ平面に設けられると共に、電源・制御部２７からの図示しない電源を用いたオン・オフ等の制御を受けて、シャワーローラ２５に向けて波長３００ｎｍ〜２μｍの光を放射する。発光部２６の光源としては、例えば、上述の第１実施形態と同様の発光ダイオード（ＬＥＤ）を用いることができる。なお、図５に示されるように、発光部２６の先端は、吐出孔２３よりも外側に突出した位置であって、シャワーローラ２５が肌Ｓと接触する位置よりも内側に設けられている。このように構成されているため、シャワーローラ２５に対して発光部２６から放射された光を当てながら、シャワーローラ２５を回転させることができる。また、図３から図６では、発光部２６をシャワーローラ２５の周囲に設けた場合を示しているが、直接もしくは間接を問わず、シャワーローラ２５に対して光を放射することができる位置であれば、発光部２６を設ける位置は特に限定されない。発光部２６として用いる発光ダイオードの数も特に限定されない。
【００２４】
図５に示されるように、シャワーヘッド２２は、使用者の肌Ｓにシャワーローラ２５を押し当てて回転させながら使用される。この時、図中の矢印で示されるように給水部２１から供給された水が吐出孔２３から吐出することで、シャワー２は、シャワーとして機能する。なお、吐出孔２３から水を吐出させながら使用するため、吐出された水の中を伝播したり、肌Ｓで反射したりする光も、発光部２６から放射された光としてシャワーローラ２５に当てることができる。
【００２５】
照射部２８は、図６に示されるようにシャワーヘッド２２の一部として設けられており、光を透過する隔壁３３と、隔壁３３を隔てて設けられた発光部３４とから構成されている。隔壁３３は、流路３２を流れる水が発光部３４に入り込むことを防止する防水層として機能する。また、複数の発光ダイオード（ＬＥＤ）３４Ｌからなる発光部３４は、外筒３１の内部に設けられた流路３２を流れる水に対して波長３００ｎｍ〜２μｍの光を放射する光源であり、例えば、上述の第１実施形態と同様の発光ダイオードを用いることができる。このような構成とすることで、流路３２を流れて吐出孔２３から吐出される水が発光部３４からの光をシャワーローラ２５まで伝える光導路となり、シャワーローラ２５に対して波長３００ｎｍ〜２μｍの光を照射することができる。ここで、外筒３１の内側から吐出孔２３までにわたるシャワーヘッド２２の内部を銀やアルミでコーティングした場合には、発光部３４から放射された光がシャワーヘッド２２の内面で反射しながら進むため、より効果的にシャワーローラ２５に対して光を照射することができる。図３に戻って、制御部２９は、図示しない電源を用いて、発光部３４のオン・オフ等の電源制御を行なうことができるように構成されている。
【００２６】
なお、水と接触する外筒３１や隔壁３３の内面において、無機ゲルマニウムが水と接触するように構成しても良い。無機ゲルマニウムを水と接触させる態様としては、外筒３１や隔壁３３の内面に無機ゲルマニウム粒子を直接固着させても、ゲルマニウム粒子を固着させた別体のカートリッジを組み込むようにしても良い。
【００２７】
ここまで、第２実施形態に係るシャワーとして、シャワーローラ２５と、発光部２６と、照射部２８とを備える場合を説明したが、照射部２８は省略しても良い。この場合には、シャワーローラ２５である接触部と、発光部２６とを備える健康増進具として構成される。また、照射部２８を省略する代わりに、シャワーローラ２５及び発光部２６を省略しても良い。この場合には、照射部２８における流路である浴剤収容部と、発光部３４とを備える健康増進具として構成される。
【００２８】
なお、本実施形態に係るシャワーは、カートリッジ部２４ではなく、シャワーヘッド２２の全部もしくは一部（例えば、シャワーローラ２５、発光部２６、照射部２８）を交換可能な構成としても良い。
【００２９】
次に、本発明の第３実施形態に係るブラシの構成を図７及び図８を用いて説明する。図７はブラシの分解斜視図であり、図８はブラシの拡大図である。
【００３０】
図７に示されるブラシ４は、取付台４１と、柄４２と、ブラシ毛４３（接触部）と、発光部４４と、電源・制御部４５とを備えている。
【００３１】
取付台４１には、ブラシ毛４３及び複数の発光ダイオード（ＬＥＤ）４４Ｌからなる発光部４４が取付けられる。ブラシ毛４３は、人体の皮膚表面と接触する接触部であり、表面には無機ゲルマニウム粒子が固着されている。発光部４４は、ブラシ毛４３に対して波長３００ｎｍ〜２μｍの光を放射する光源であり、上述の第１実施形態の発光部１３及び第２実施形態の発光部２６、発光部３４と同様の発光ダイオード（ＬＥＤ）を用いることができる。電源・制御部４５は、柄４２の中に設けられており、発光部４４に対して電源を供給すると共に、オン・オフ等の制御を行なう。なお、本実施の形態において、ブラシ毛４３は、表面に粒子状の無機ゲルマニウムを固着させるのではなく、ブラシ毛４３の材料（例えば、プラスチック）に無機ゲルマニウムを含有させても良い。また、発光部４４は、取付台４１ではなく、柄４２に取付けても良い。
【００３２】
以上に説明した本発明の健康増進具の効果について説明する。
【００３３】
本発明の健康増進具では、浴剤収容部（例えば、浴槽）に、無機ゲルマニウムを含有する薄膜で覆われた固形物又は無機ゲルマニウムを含有する固形物を含む浴剤が収容されており、その浴剤に向けて波長３００ｎｍ〜２μｍの光が放射される。放射された光がゲルマニウムのバンドギャップあるいは価電子帯の電子（正孔）を励起することで、固形物から遠赤外線が放出される。水中において遠赤外線は通常１００μｍの距離でほぼ３分の１以下の振幅に減衰するが、本発明では皮膚と接触するもしくは皮膚の近傍に存在する無機ゲルマニウムが遠赤外線を放出するので、容易に体内に侵入し、遠赤外線効果が人体に対して有効に作用する。また、放射された光のうち近赤外線（０．８〜２μｍ）は、傷や神経障害の治療、肩こりや腰痛などの緩解などに対して効果を発揮する。さらに、放射された光のうち紫外線は、水中では容易に吸収されるので皮膚まで届くことはなく、水中で吸収されるときに殺菌の効果を発揮することで水を浄化する。
【００３４】
同様の健康増進及び衛生面における効果は、人体の皮膚表面と接触させるために無機ゲルマニウム粒子が表面に固着された接触部又は無機ゲルマニウムを含有する接触部に対して波長３００ｎｍ〜２μｍの光を放射することによっても得ることができる。このような接触部の形態としては、例えば、シャワーヘッドのシャワーローラやブラシのブラシ毛がある。
【００３５】
このように、上記固形物を含む浴剤に紫外域から赤外域にわたる光が放射されることで、健康増進の効果を発揮しつつ、衛生面にも優れた健康増進具を得ることができる。すなわち、無機ゲルマニウムが薄膜もしくは粒子の状態で存在する要素（固形物もしくは接触部）に対して赤外線から紫外線域の波長を有する光が放射されると共に、その要素が人体の皮膚表面と接触する。これにより、当該要素から放出される遠赤外線及び光に含まれる近赤外線が健康増進の効果を発揮しつつ、光に含まれる紫外線の殺菌作用により衛生面を向上させた健康増進具が得られる。
【００３６】
また、上記の浴剤収容部を浴槽として構成した場合には、浴剤に含有されている固形物が浴槽の底に沈殿するあるいは水中を浮遊することで、常に人体の肌と接触するもしくは皮膚の近傍に存在することとなるため、健康増進の効果が高まる。また、発光部を浴槽の液面よりも低い位置（すなわち、発光部が浴剤に浸かる位置）に設けることで、水中で紫外線が吸収されるため、人体に対する紫外線の影響を低減すると共に浴槽内の水や浴剤を殺菌する効果を高めることができる。さらに、浴槽の材料にゲルマニウム含有材料もしくはゲルマニウム含有膜被覆材料を用いた場合には、人体の皮膚表面に対する遠赤外線の作用が高まることで健康増進の効果をさらに高めることができる。
【００３７】
なお、本発明は、上述した実施形態に限定されるものではなく、本発明の要旨を逸脱しない範囲内において種々の変更が可能であることは勿論である
【００３８】
例えば、第２実施形態に係るシャワーにおいて、給水部２１からシャワーヘッド２２へ供給する水の代わりとして、第１実施形態に記載の無機ゲルマニウム薄膜で覆われた固形物又は無機ゲルマニウムを含有する固形物を含有する浴剤や有機ゲルマニウム粉体を含有する浴剤を用いても良い。この場合には、シャワーヘッドの吐出孔を固形物が通過できる大きさとして、浴剤を体全体ではなく腕や足といった体の一部に浴びせながらシャワーローラを肌に当てて回転させることで使用する。これにより、固形物の無機ゲルマニウムもしくは有機ゲルマニウム粉体とシャワーローラの無機ゲルマニウムとが相まって、健康増進の効果がさらに高まる。
【図面の簡単な説明】
【００３９】
【図１】本発明の第１実施形態に係る入浴装置の斜視図である。
【図２】本発明の第１実施形態に係る入浴装置の使用状態を示す側面図である。
【図３】本発明の第２実施形態に係るシャワーの構成を示す概念図である。
【図４】本発明の第２実施形態に係るシャワーにおけるシャワーローラとその周辺を示すシャワーヘッドの正面図である。
【図５】本発明の第２実施形態に係るシャワーにおけるシャワーヘッドの使用状態を示す拡大断面模式図である。
【図６】本発明の第２実施形態に係るシャワーにおけるシャワーヘッドの照射部を示す拡大断面図である。
【図７】本発明の第３実施形態に係るブラシの構成を示す分解斜視図である。
【図８】本発明の第３実施形態に係るブラシの拡大図である。
【符号の説明】
【００４０】
１…入浴装置、２…シャワー、４…ブラシ、１１…上部浴槽（浴剤収容部）、１２…下部浴槽（浴剤収容部）、１３，２６，３４，４４…発光部、１３Ｌ，３４Ｌ，４４Ｌ…発光ダイオード、１４…フレーム、１５…車輪、１６，２９…制御部、１６Ａ…操作部、１６Ｂ…表示部、２１…給水部、２２…シャワーヘッド、２３…吐出孔、２４…カートリッジ部、２５…シャワーローラ（接触部）、２６…照射部、３１…外筒、３２…流路、３３…隔壁、４１…取付台、４２…柄、４３…ブラシ毛（接触部）、２７，４５…電源・制御部。
【図１】
2007075211.tif 000003
【図２】
2007075211.tif 000004
【図３】
2007075211.tif 000005
【図４】
2007075211.tif 000006
【図５】
2007075211.tif 000007
【図６】
2007075211.tif 000008
【図７】
2007075211.tif 000009
【図８】
2007075211.tif 000010